(57)【特許請求の範囲】
【請求項１】
蒸気拡散によって結晶を形成する装置であって、前記装置が、底壁および前記底壁から延びる垂直な周壁を有するトレー、前記トレー内に配置されて沈澱溶液を受容すべく上端において開口する多数のウェル、ならびに前記多数のウェルのそれぞれを別々に且つ独立的にカバーするための個別に取外し自在なキャップを含み、前記個別に取外し自在なキャップのそれぞれが、結晶化すべき分子または高分子を含有する溶液の小滴を、前記多数のウェルのうちで、連携しているウェル内に含まれる沈澱溶液上に懸垂させるための支持面を囲む突条を有する下面を有し、前記支持面が、結晶の生長を検査およびモニターできるように少なくとも部分的に透明であり、前記個別に取外し自在なキャップのそれぞれが、オペレーターが取外し自在なキャップと多数のウェルとの間に外部的な密封材を塗布しなくても、前記個別に取り外し自在なキャップを前記多数のウェルに解放自在に密封状態にロックするように、前記多数のウェルのそれぞれと連携している対応の第２ロック部材に対して構造的に係合可能な一体的第１ロック部材を、前記突条によって囲まれた領域の外において有することを特徴とする前記装置。
【請求項２】
ウェルおよびキャップが円筒状である、請求項１に記載の装置。
【請求項３】
ウェルの縁がトレー頂面より上方に延びている、請求項１に記載の装置。
【請求項４】
キャップが管状であり、前記第１ロック部材のそれぞれがウェルの縁近傍においてトレーの面に設けられた対応の孔にロッキング挿入可能な、等間隔に設けられたロック素子を有する、請求項３に記載の装置。
【請求項５】
キャップがその外面周りに管状部を有することによって頂部において閉鎖されるスロットを画成し、このスロットが連携しているウェルの縁を受容し、管状部が縁と協働するロック素子を含む、請求項４に記載の装置。
【請求項６】
各ロック素子がキャップの頂部から底部まで延びる舌状部から成り、舌状部がキャップ外面の外側に対して垂直に延びている、請求項４または５に記載の装置。
【請求項７】
ウェルを密封するため、各キャップとトレー頂面との間にエラストマー材を挿入した、請求項１に記載の装置。
【請求項８】
ウェルの縁とスロット頂部との間でスロットにエラストマー材を挿入した、請求項５に記載の装置。
【請求項９】
各キャップが連携ウェルの底面と向き合う面に、分子または高分子含有溶液滴を受容する空洞を含む、請求項１に記載の装置。
【請求項１０】
空洞が平坦な底面を有する、請求項９に記載の装置。
【請求項１１】
空洞が平坦な底面に対して垂直に延びる周壁を含む、請求項１０に記載の装置。
【請求項１２】
各キャップがその外面に縁を含み、縁が等間隔に設けられたスロットを含む、請求項２に記載の装置。
【請求項１３】
トレーの上部および周囲に配置されたカバーをも含む、請求項１に記載の装置。
【請求項１４】
周壁に、等間隔に設けられたフィンガーグリップ面をも含む、請求項１に記載の装置。
【請求項１５】
トレーおよびキャップが透明または半透明材から成る、請求項１に記載の装置。
【請求項１６】
材料を、ポリスチレン、ポリプロピレン、ポリカーボネート、ポリアクリレート、ポリメタクリレート、アクリロニトリル−スチレン共重合体、ニトリル−アクリロニトリル−スチレン共重合体、ポリフェニレンオキシド、フェノキシ樹脂、およびこれらの混合物から成る群から選択する、請求項１５に記載の装置。
【請求項１７】
前記第１ロック部材および第２ロック部材が、解放位置とロック位置の間で漸次的に係合可能である、請求項１〜１６のいずれかに記載の装置。
【請求項１８】
前記第１および第２ロック部材が、前記解放位置と前記ロック位置の間で互いに回転自在に係合可能である、請求項１７に記載の装置。
【請求項１９】
前記第１および第２ロック部材が、前記キャップのそれぞれと前記ウェルのそれぞれに、互いに螺合するねじを含む、請求項１８に記載の装置。
【請求項２０】
蒸気拡散によって結晶を形成する装置であって、
底壁および前記底壁から延びてトレー上面を支える垂直な周壁を有するトレー、
沈澱溶液を保持するための、上部開口および光透過性の底を有し且つ前記トレー上面によって支持されている多数のウェル、
前記ウェルそれぞれの前記上部開口をカバーして密閉しそして前記ウェルそれぞれの内部における結晶化を支持するための個別に取外し自在なキャップであって、それぞれが、結晶化すべき分子または高分子を含有する溶液の小滴をそれぞれのウェル内に含まれる前記沈澱溶液上に懸垂させるための前記ウェルに面する透明な支持面を内側に有する空洞を形成する前記キャップ、ならびに
前記キャップそれぞれと前記ウェルそれぞれとの間を密封する手段
を含み、
前記キャップは、オペレーターが前記キャップと前記ウェルとの間に外部的な密封材を塗布しなくても、前記空洞の外側の位置において、前記キャップを前記ウェルに解放自在に密封状態にロックするように、前記ウェルのそれぞれの内面が有する対応の第２のネジ式ロック部材に対して構造的に係合可能な一体的第１ネジ式ロック部材を外面に有し、
前記光透過性の底と前記透明な支持面との組み合わせが、前記ウェル内の結晶の生長を顕微鏡下で前記支持面を通して観察およびモニタリングすることを可能とすることを特徴とする前記装置。
【発明の詳細な説明】
【０００１】
【発明の分野】
本発明は、分子および高分子結晶化装置に係る。具体的には、この装置は、公知の蒸気拡散技術による蛋白質結晶を生長させるウェルとキャップとの集合体から成る。この装置は、搬送およびハンドリングのため、オペレーターが利用する前に、予めウェルに溶液を充填し易いという点で特に有益である。
【０００２】
【発明の背景】
結晶学は科学者にとって極めて有用な手段であり、研究の分野で多大の関心を持たれている。分子の立体構造の正確且つ詳細な記述を可能にし、分子の機能を理解する上で大きい助けとなる。蛋白質のような高分子の結晶学は、学術的にも工業的にも今日広く利用されている。
【０００３】
簡単な蛋白質の立体構造は既に結晶化法によって得られているが、高分子から結晶を得ることは必ずしも容易ではない。例えば、所与の分子の結晶化に好ましい条件は、数千とはいわないまでも、数百回の実験を必要とする。その結果、懸滴および座滴法（hanging-drop and sitting-drop methods）など多数の実験をできるだけ迅速に行うための手段や方法が開発されて来た。これらの方法は、いずれも結晶を得るのに蒸気拡散を利用している。
【０００４】
蛋白質のような高分子の種々の結晶化条件を探求する技術として、今日もっとも広く利用されているのが懸滴法である。この方法は結晶化すべき高分子と沈殿剤を含有する約２〜２０μＬの溶液の小滴を、タンクまたはウェル中に含まれる、公知のポリエチレン・グリコール２０％または硫酸アンモニウム４０％のような沈殿溶液上に懸垂させる。次いで、この系を密封する。しばらくすると、小滴とタンク内の溶液との間で、溶剤または溶剤混合物の蒸気拡散が平衡状態に達する。最終的に、小滴中の水分が減少し、高分子と沈殿剤の濃度が増大し、高分子を最適条件で結晶化させる。懸滴または座滴実験を実施する技術は手間のかかる作業であり、熟練したオペレーターの手で行わねばならない。
【０００５】
従来は、多数のタンクまたはウェルを有する不活性熱可塑材から成る市販のトレーが用意され、各タンクまたはウェルに手作業で沈殿液を注入する。次いで、高分子溶液を、ガラス板（カバーグラス）上で沈澱剤と混合し、全体を裏返しにしてウェルに重ねることによって、高分子溶液をウェル上に懸垂させる。ガラス板をウェルに重ねる前に、確実に密封するため、各ウェルの縁にグリースを塗布する。グリースは高分子溶液を汚染し易いから、各ウェルにガラス板を重ねる際には注意が必要である。結晶化法は顕微鏡を利用して行なわれる。結晶が得られたら、ガラス板を取り除く。この時にも、結晶化した高分子のグリースによる汚染および／またはガラス板の破損を防止するよう充分の注意が必要である。しかも、グリースを除去するのは困難であり、ガラス板に一部が残留するから、実験の種類に関係なく、ガラス板の再利用は困難である。
【０００６】
懸滴および座滴法の利点は、結晶化条件のスクリーニングを可能にし、文字通り微結晶技術であるという点にある。懸滴または座滴法における蒸気拡散が広範囲に亙る条件のスクリーニングを可能にするから、比較的少量の高分子で実験できる。しかも、実験結果を比較的明確に可視化でき、得られる結晶は全く制約されない、即ち、いかなる面にも付着したり、接着したりしない。
【０００７】
多くの場合、高品質の結晶を生成させる適正な結晶化条件を発見するには、数百回の実験が必要である。即ち、懸滴および座滴実験は、熟練したオペレーターを必要とする、極めて手間のかかる方法である。例えば、成分を何回にも亙って吸引したり、注入したりするステップ、グリース塗布ステップなどを実験中に行なう必要がある。さらに、ウェルごとに別々のカバーグラスを手作業で裏返して重ねる必要がある。ステップ数が多く、複雑であるため、実験結果のばらつきが大きくなる。
【０００８】
上述したように、従来は、ウェルとカバーグラスとの間を密封するため、グリースが使用される。系を密封する上記以外の方法も提案されている。例えば、グリースの代わりに浸漬油または接着テープを使用する。グリースの場合と同様に、これらの密封手段にも難点がある。グリースをウェルの上縁に施すのは必ずしも容易ではなく、時間のかかる作業である。この作業を数千回繰り返すオペレーターは、その手に肉体的苦痛を生ずることがある。他の重大な問題やリスクは、グリースで汚れたカバースライド上で結晶を操作する場合に起こる。作業中にカバースライドが破損することがあり、結晶を失うだけでなく、オペレーターが負傷することにもなりかねない。浸漬油にも問題がある。即ち、一定量の浸漬油を使用しなければならない。使用量が多すぎると、ウェル内部を汚染し、不足すれば、密封状態が得られず、沈澱溶液が蒸発することになる。接着テープは手早く、簡単に扱うことができるが、実験はすべてセットアップの終わりに密封されるから、第１滴と第２４滴との間で、実験結果にばらつきを生ずることになる。また、結晶がテープに付着して、結晶の回収を不可能にし、滴を回収する作業にも問題がある。
【０００９】
これらの問題は、方法の自動化を促進した。このような自動結晶化装置は既に存在する。公知の Cyberlab-200（商品名）装置はウェルに溶液を注入し、各ウェルの上縁にグリースを塗布し、真空アームによって保持されているカバースライド上に小滴を滴下し、ウェル上にカバースライドを配置する。しかし、この装置にもいくつかの欠点がある。即ち、実験設備の組立が複雑であり、グリースの使用が避けられない。しかも、この装置は極めて高価である。
【００１０】
関連文献としては、次のものがある。米国特許第２，３６６，８８６号；米国特許第３，１０７，２０４号；米国特許第３，２９７，１８４号；米国特許第３，５３７，９５６号；米国特許第３，５９７，３２６号；米国特許第３，６４９，４６４号；米国特許第３，６９２，４９８号；米国特許第３，７２９，３８２号；米国特許第３，７４５，０９１号；米国特許第３，９０７，５０５号；米国特許第４，０３８，１４９号；米国特許第４，１５４，７９５号；米国特許第４，４９５，２８９号；米国特許第４，９１７，７０７号；米国特許第５，２７１，７９５号。
【００１１】
従って、上記欠点を克服する高分子結晶化装置の開発が切望されている。この装置は、ウェルおよびカバーを密封するのに、グリース、浸漬油、接着テープのような外部的な手段を必要とせず、手動でも自動でも容易に操作できるものであることが好ましい。究極的には、装置の組立てが著しく容易に且つ迅速化されると同時に、得られた結晶が汚染される恐れもなくなることが好ましい。最後に、この装置は懸滴または座滴法のような種々の結晶化方法に利用できるものでなけらばならない。
【００１２】
【発明の概要】
本発明は、頂面、底面、頂面から底面へ延びる直立周壁、および頂面から下方へ延びていて沈澱溶液を受容すべく頂面において開口する複数のウェルから成るトレーと；各ウェルに対応するように設けられ、それぞれが密封状態でウェルにロックするためのロック部材を有するキャップとを提供する。このようなトレーは、分子および高分子結晶を生長させるのに特に有益である。
【００１３】
【発明の実施の形態】
本発明の目的は、蒸気拡散方法を利用する結晶形成装置を提供することにある。この装置は、ウェルと、ウェルを閉鎖して密封空間を形成する透明なキャップとから成り、キャップとの間にグリース、オイル、接着テープなどのような密封材を加えることなくウェルが密封される。キャップは、顕微鏡下での結晶生長の観察モニターと、結晶の操作を可能にする透明材料で形成される。従って、この装置は、高分子の結晶生長法、特に懸滴培養(hanging-drop)および座滴培養(sitting-drop)において有利である。
【００１４】
装置が簡単なので、ウェルに沈殿用溶液を充填し、キャップに高分子溶液滴を付着させ、ウェルにキャップを嵌着させることによってウェルを密封する作業は、熟練者でなくても有資格のオペレーターなら充分こなすことができる。
【００１５】
本発明の好ましい実施態様においては、各トレーに複数の、例えば４×６個のウェルを成形し、これと対応する個数の透明キャップをウェルに嵌着する。得られたトレーおよびキャップを、必要に応じて、シリコン処理剤のような疎水剤で処理してもよい。
【００１６】
キャップとウェル底面が透明であるから、最小限のハンドリングで、しかも各ウェル内の蒸気平衡を乱すことなく、結晶化を追跡できる。さらにまた、キャップは透明または半透明な材料、すなわちクリアな材料で形成されているから、顕微鏡下での結果の可視化が簡単である。
【００１７】
トレーとキャップの材料は同じであって、且つ適正なコストで容易に成形できる材料であることが好ましい。材料は、ウェル内およびキャップ上に存在する種々の化学物質に対して、長期間に亙って安定でなければならない。材料は水を吸収せず、顕微鏡下における作業と観察を容易にするような優れた光学特性を有することも望ましい。好適な材料としては、ポリスチレン、ポリプロピレン、ポリカーボネート、ポリアクリレート、ポリメタクリレート、アクリロニトリル−スチレン共重合体、ニトリル−アクリロニトリル−スチレン共重合体、ポリフェニレンオキシド、フェノキシ樹脂などがあり、なかでも、最も好ましい材料はポリスチレンである。
【００１８】
本発明の他の目的は、生長結晶を、キャップから移さずに顕微鏡下で操作でき、結晶を移さずに、グリースの存在しない環境において、溶液を直接添加できる結晶形成装置を提供することにある。
【００１９】
本発明装置の他の重要な利点は、一連の実験が終了したら、結晶化すべき高分子を含有する溶液滴を含む別のキャップ群を取出し、これをウェルに取付けるだけで、トレーを再利用できる。また、所与のキャップを最初のウェルから取り外し、異なる沈殿溶液を含む別のウェルにロックすることもできる。
【００２０】
本発明はまた、ウェルに沈殿溶液を注入し；ウェルにキャップをロックするロック部材を含むキャップ内に小滴を形成し；ウェルをロックし、密封するステップから成る、高分子結晶形成方法にも係る。好ましい実施態様では、キャップとウェルの間に、ポリプロピレン、エチレン−プピレン共重合体、テフロン（商品名）などのようなエラストマー材から成るリングを介在させることが好ましい。他の好ましい実施態様では、予め充填、密封したウェルを製造しておき、“直ぐ使用できる”ようにトレーをオペレーターに提供する。
【００２１】
本発明の人間工学特性に鑑み、キャップの嵌着が容易であり、従来の薄く、脆い顕微鏡カバーグラスの使用に伴うような特殊な器用さを必要としない。ウェル底面と向き合うキャップ面に凹部が存在するから、キャップをテーブル上に逆さに配置した後、結晶を別のウェルに移さなくても、滴上に直接液を添加することができ、従って、脆い結晶の破壊につながるような操作は不要である。
【００２２】
本発明のキャップとウェルとの集合体の使用を、自動アームの端部に簡単な把持素子を設け、これにキャップを解放自在に把持できる構造を設けることによって、簡単に自動化できる。グリースを塗布したり、脆いカバーグラスを操作する必要はない。把持素子は、後述するように、オペレーターが手動で操作することもできる。
【００２３】
本発明のキャップとウェルとの集合体は、細胞培養、分子生物学または細胞生物学などの分野にも利用できる。
【００２４】
本発明の最も好ましい実施態様では、ウェルを予め充填し、キャップで密封する。したがって、オペレーターは“直ちに使用できる”集合体を受取ることになり、個々のウェルに適当な沈殿溶液を充填するという手間の掛かる作業が省かれる。即ち、購入者は所要数の集合体を、一種類の、または数種類の沈殿溶液と共に発注すればよい。出荷に際しては、沈殿溶液がキャップに接触するのを防止するため、集合体のキャップの代わりにフィルムを使用すればよい。このような接触が起こると、使用に先立ち、キャップを洗浄する必要が生ずる。出荷専用のキャップを使用し、実験には別のキャップを使用するという方法も可能である。予め充填済みのウェルを出荷する際にも、実験する際にも、沈殿溶液が蒸発したりこぼれたりするのを防止するため、ウェルを確実に密封することが重要である。
【００２５】
本発明の好ましい実施態様を示す添付図面のうち、図１は、複数のウェル１４を形成したトレーまたはベースプレートと、対応ののキャップ１６とから成るキャップとウェルとの集合体１０の斜視図である。集合体１０は、出荷または貯蔵用のカバー１８をも含む。カバー１８の好ましい形態としでは、キャップに触れずにカバーを固定できるように、カバー１８の各隅部に挿入部（図示しない）を設ける。カバー１８を使用すれば、数枚の実験トレーを重ねて貯蔵することができる。トレー１２はその４つの側壁に沿って延設された縁２０を有し、対向する２つの側壁には、オペレーターがトレーを取り扱い易いように、米国特許第４，０３８，１４９号に記載されているようなフィンガーグリップ面２２をも有する。フィンガーグリップ面２２は事故を避け、カバーされている状態でも、カバーを外された状態でも、トレーの取り扱いを著しく容易にする。カバー１８は、フィンガーグリップ面２２と係合して正しく集合体１０に嵌着する切欠き２４を有する。
【００２６】
図２は、キャップ１６の断面図である。図示のように、キャップ１６は、弾性材から成るＯ−リング素子２８が挿入される円筒状スロット２６を有する。この弾性材は、特に規定はないが、キャップ１６をウェル１４の上縁３０に嵌着する際に適当な密封効果を発揮する。スロット２６の内面３２は、平坦面３６を越えて突出して空洞部３８を形成する部分または突条３４を有する。面３６は、凸面または凹面でもよいが、図２に示されるような平坦な構造であることが好ましい。上述のように、キャップ１６の材質は、結晶の観察および／または操作のため、顕微鏡下に直接置くことができる、充分に透明または半透明である。
【００２７】
各キャップ１６は、直径を挟んで対向し、突条部４１を含む１対のロック素子４０を有する。キャップ１６は下方に一連のスペーサー４５を設けた縁４６をも含む。沈殿溶液がウェル１４に注入されると、オペレーターは平坦面の上でキャップ１６を逆さにし、高分子含有溶液滴を面３６に配置する。次いで、キャップ１６を慎重に操作して、トレー１２の頂面４４に設けた対応の孔４２に各ロック素子４０を、ウェル１４の上縁３０がスロット２６内のＯ−リング２８と当接するまで挿入する。次いで、キャップ１６を回動し、孔４２の幅より狭く、ウェル１４の周縁の一部に沿って形成されているスロット４３内へ各ロック素子４０を、部分４１の頂面全体が頂面４４の下に来てウェルを密封し、キャップ１６を位置固定するまで摺動させる。最も好ましい実施態様としては、突条部４１の部分４７をテーパすることによって、頂面４４の下へ摺動し易くする。キャップのロックと位置固定をさらに確実にするため、突条部４１が面４４の下へ完全に挿入された後、面４４の下に存在する（図示しない）対応の凹部に嵌入する（図示しない）小突起を部分４９に設ける。
【００２８】
ウェル１４に対するキャップ１６の着脱には、図３および４に示すような工具４８を使用すればよい。工具４８は、オペレーターまたは自動アームが把持し易いように形成された部分５２と、縁４６の円周よりもやや大きい円周の外面５７と縁４６の円周よりもやや小さい円周の内面５９とを有する円筒部５４とから成る本体５０を有する。工具４８は、直径を挟んで対向する２つのキャップ把持素子６０をも含み、各把持素子６０は把持フィンガー６２を具備する。把持素子６０は内面５９に、または縁６６に直接、または外面５７に設けることができる。使用に際しては、各フィンガー６２を縁４６に形成されているスロット６４へ、少なくとも各素子６０の部分６５が縁４６と当接するまで挿入して工具４８をキャップ１６に重ね合わせる。次いで、把持フィンガー６２が縁４６の下面と完全に係合するまで工具４８を回動し、ロック素子４０がスロット４２と整列するまで回動し続ける。ここでキャップ１６を引き上げる。キャップ１６を元の位置に戻すには、上記手順を逆の順序で行なえばよい。部分５２の外面５３は、テーブルまたは顕微鏡の下に安定状態に置き、オペレーターが結晶を観察および／または操作できるように、平坦でなければならない。顕微鏡下で直接観察および／操作できるためには、面５３に、好ましくは円筒部５４の内径に対応する開口を設けねばならない（図４参照）。
【００２９】
図５は、本発明の他の実施態様を示す。キャップとウェルとの集合体１００は、複数のウェル１１２を形成したトレーまたはベースプレート（図示しない）と、弾性材から成るＯ−リング素子１１８が挿入されるおよび円筒状スロット１１６を有する対応のキャップ１１４から成る。先に述べた実施態様と同様に、任意ではあるが、適正な密封効果を得るため、Ｏ−リングを設ける。
【００３０】
各キャップ１１４は、直径を挟んで対向し、且つ突条部１２２を有する１対のロック素子１２０を含む。トレーの頂面１２６に設けた対応の孔１２４にそれぞれのロック素子１２０を、キャップ１１４の底面１２８がトレー頂面１２６と重なるまで挿入することによって、キャップ１１４をトレーに位置固定する。次いで、キャップ１１４を回動して、ロック素子１２０を、孔１２４の幅よりも小さく、且つウェル１１２の周縁の一部に沿って延設されているスロット１３０内へ、突状部１２２の頂面全体が頂面１２６の下に来るまで摺動させることにより、ウェルを有効に密封すると共にキャップ１１４を位置固定する。
【００３１】
図６は、本発明の他の簡単な実施態様を示し、この実施態様では、ウェル１５０の頂面１５２が円周方向にスロット１５４を有し、キャップ１５８に結合されたＯ−リング素子１５６がこのスロット１５４に嵌着される。スロット１５４の断面積は素子１５６の断面積よりも小さいから、素子１５６をスロットに挿入すると、接着剤やグリースを使用しなくても、キャップ１５８をウェル１５０にロックするだけで密封状態が得られる。
【００３２】
図７は、キャップ１７０をウェル１７２に螺着するように構成された、本発明のさらに他の実施態様を示す。この構成もまた、図１、２および５の構成と同様に、解放位置とロック位置との間を移動できるように、キャップのロック機構とウェルとが漸次係合する。
【００３３】
本発明のキャップとウェルとの集合体は、特に懸滴結晶化方法にも座滴結晶化方法にも好適である。座滴結晶化方法については、具体的に図示しないが、当業者には周知のように、ウェルに公知の滴支持手段を挿入するか、または成形すればよい。このような座滴支持手段の例としては、Hampton Research (Lguna Hills, California) 社が製造販売するガラス製座滴支持ロッド Micro-Bridges（商品名）がある。
【００３４】
各ウェルに任意の平衡溶液を慎重に充填する。次に、任意の蛋白質滴をキャップに付着させる。結晶化すべき特定の蛋白質溶液、例えば、清浄剤を含有する低表面張力溶液を使用する場合、最善の結果を得るためには、底面の形状や組織を適宜に変更すればよい。装置への平衡溶液および蛋白質滴添加は手動でも、市販の自動ピペット装置でも行うことができ、溶液に対するキャップの密閉も手動または自動で行なうことができる。
【００３５】
本発明を特定の実施態様に関して説明したが、さらなる変更実施態様も可能であり、本願は、本発明の原理に基づく本発明の変更、利用または適応の他、本発明が属する分野において公知または慣用的な手段の範囲ないである限り、且つ上述した必須構成要件に該当する限り、さらには後記する請求の範囲を逸脱しない限り、本明細書の記述とは異なる実施態様をも包含するものである。
【図面の簡単な説明】
【図１】  本発明の第１のキャップとウェルとの集合体の斜視図。
【図２】  キャップの好ましい実施例の断面図。
【図３】  ウェルに対するキャップ着脱手段の斜視図。
【図４】  図３に示した手段の断面図。
【図５】  本発明のキャップとウェルとの集合体の他の実施例の斜視図。
【図６】  キャップとウェルとの集合体のその他の実施例の斜視図。
【図７】  キャップとウェルとの集合体のその他の実施例の斜視図。
【図１】
0004753107.tif 000002
【図２】
0004753107.tif 000003
【図３】
0004753107.tif 000004
【図４】
0004753107.tif 000005
【図５】
0004753107.tif 000006
【図６】
0004753107.tif 000007
【図７】
0004753107.tif 000008